(57)【要約】【課題】所定量の薬液を吸引した注射器のプランジャ／ガスケットの戻りを抑制する。【解決手段】前端部に注射針取付部７を備えた注射器本体２、注射器本体２内を前後に摺動可能なガスケット３、前記ガスケット３に接続されたプランジャ４を備えた注射器１であって、前記取付部７に注射針６を取り付けて前記プランジャ４を引いて薬液１０を注射器内に取り込んだときに、薬液１０を含む空間の陰圧による前記ガスケット３の注射針６側への戻りを防止することができる戻り防止機構５を備えた、注射器。【選択図】図１
2018175713.tif 000002
【特許請求の範囲】
【請求項１】
前端部に注射針取付部７を備えた注射器本体２、注射器本体２内を前後に摺動可能なガスケット３、前記ガスケット３に接続されたプランジャ４を備えた注射器１であって、前記取付部７に注射針６を取り付けて前記プランジャ４を引いて薬液１０を注射器内に取り込んだときに、薬液１０を含む空間の陰圧による前記ガスケット３の注射針６側への戻りを防止することができる戻り防止機構５を備えた、注射器。
【請求項２】
前記戻り防止機構５は、プランジャ４の少なくとも１つの係合部４ａと、前記係合部４ａに係合する注射器本体２の少なくとも１つの柔軟な突部２ａから構成され、前記戻り防止機構５はプランジャ４を静止した状態ではプランジャ４の移動を防止することができるが、強く押す又は強く引いたときにプランジャ４の移動を妨げないものである、請求項１に記載の注射器。
【請求項３】
前記突部２ａは、注射器本体の目盛り２ｂに対応する位置に設けられる、請求項２に記載の注射器。
【請求項４】
前記戻り防止機構５は、注射器本体２の外部に存在するプランジャ４の係合部４ａと注射器本体２の外側の突部２ａから構成される、請求項１に記載の注射器。
【請求項５】
プランジャ４を回転することで、プランジャ４と注射器本体２の係合部４ａ、２ａが係合位置又は非係合位置をとることができる、請求項１に記載の注射器。
【発明の詳細な説明】
【技術分野】
【０００１】
本発明は、注射器に関する。
【背景技術】
【０００２】
医療現場で使用されている注射器は、目的に合った薬液の密封容器から薬液を吸引して使用する。バイアルなどの密封容器から薬液を注射器内に吸引すると、注射器内が陰圧になるためプランジャが前方(注射針の方向)に動こうとする。プランジャが前方に動くと注射針から薬液が漏れるので、医師、看護師等はプランジャが動かないようにプランジャを保持する必要があり、負担となっていた。
【発明の概要】
【発明が解決しようとする課題】
【０００３】
本発明は、所定量の薬液を吸引した注射器のプランジャ／ガスケットの戻りを抑制することを目的とする。
【課題を解決するための手段】
【０００４】
本発明は、以下の注射器を提供するものである。
項１.  前端部に注射針取付部７を備えた注射器本体２、注射器本体２内を前後に摺動可能なガスケット３、前記ガスケット３に接続されたプランジャ４を備えた注射器１であって、前記取付部７に注射針６を取り付けて前記プランジャ４を引いて薬液１０を注射器内に取り込んだときに、薬液１０を含む空間の陰圧による前記ガスケット３の注射針６側への戻りを防止することができる戻り防止機構５を備えた、注射器。
項２.  前記戻り防止機構５は、プランジャ４の少なくとも１つの係合部４ａと、前記係合部４ａに係合する注射器本体２の少なくとも１つの柔軟な突部２ａから構成され、前記戻り防止機構５はプランジャ４を静止した状態ではプランジャ４の移動を防止することができるが、強く押す又は強く引いたときにプランジャ４の移動を妨げないものである、項１に記載の注射器。
項３.  前記突部２ａは、注射器本体の目盛り２ｂに対応する位置に設けられる、項２に記載の注射器。
項４.  前記戻り防止機構５は、注射器本体２の外部に存在するプランジャ４の係合部４ａと注射器本体２の外側の突部２ａから構成される、項１に記載の注射器。
項５.  プランジャ４を回転することで、プランジャ４と注射器本体２の係合部４ａ、２ａが係合位置又は非係合位置をとることができる、項１に記載の注射器。
【発明の効果】
【０００５】
本発明の注射器は、薬液を吸引した後にプランジャ／ガスケットの戻りを止めることができるので、医師、看護師等の負担が軽減される。
【図面の簡単な説明】
【０００６】
【図１】本発明の注射器を示す断面図である。
【図２】本発明の注射器を示す断面図である。
【図３】本発明の注射器を示す断面図である。
【発明を実施するための形態】
【０００７】
図１に示すように、本発明の注射器１は、円筒状の注射器本体２、注射器本体２内を前後に摺動可能なガスケット３、ガスケット３に接続されたプランジャ４、戻り防止機構５を備えている。注射器本体２の前端側には注射針６を取り付けるための注射針取付部７が設けられ、注射器本体２の後端側にはフランジ８が設けられている。注射針６は基部９を注射器取付部７に嵌合することで取り付けられる。
【０００８】
図１において、戻り防止機構５はプランジャ４の係合部４ａと、前記係合部４ａに係合する注射器本体２の複数の柔軟な突部２ａから構成され、前記突部２ａは目盛り２ｂに合わせて一定の間隔で設けられている。注射針６を取り付けてプランジャ４を引くことによりバイアル１１から薬液１０を注射器本体２とガスケット３で囲まれる空間内に吸引することができる。このとき、薬液を含む空間は陰圧になるのでプランジャ及びガスケットは前端側に引っ張られる。しかしながら、プランジャ４の係合部４ａと注射器本体２の突部２ａを係合させることにより、ガスケット３とプランジャ４は前端側への移動を抑制される。従来は、薬液の吸引後、医療従事者がプランジャ４を手で押さえ、プランジャ４の移動による薬液の漏れを防止していたが、本発明では戻り防止機構によりガスケット３及びプランジャ４の移動が抑制されるので、医療従事者の負担を軽減することができる。
【０００９】
図２は、注射器本体２の外表面に突部２ａを設け、プランジャ４の係合部４ａをプランジャの後端からプランジャ４と平行に、かつ、注射器本体２の外表面の突部２ａと係合できるように形成している。プランジャ４は係合部４ａが突部２ａと係合する位置で止まる。突部２ａを目盛りに合わせて形成することで、薬液を一定量注射器本体内に吸引することができる。プランジャの係合部４ａは薬液を吸引又は放出する場合には、フランジ８と係合しない位置で動かすことができ、プランジャの位置を止める場合にはフランジ８と係合するようにプランジャを回転することができる。
【符号の説明】
【００１０】
１  注射器  ２  注射器本体  ２ａ  突部  ２ｂ  目盛り
３  ガスケット    ４  プランジャ  ４ａ  係合部  ５  戻り防止機構
６  注射針    ７  注射針取付部    ８  フランジ    ９  基部    １０薬液
１１  バイアル
【図１】
2018175713.tif 000003
【図２】
2018175713.tif 000004
【図３】
2018175713.tif 000005
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
前端部に注射針取付部７を備えた注射器本体２、前記注射器本体２内を前後に摺動可能なガスケット３、前記ガスケット３に接続されたプランジャ４を備えた注射器１であって、前記注射針取付部７に注射針６を取り付けて前記プランジャ４を引いて薬液１０を前記注射器１内に取り込んだときに、前記薬液１０を含む空間の陰圧による前記ガスケット３の前記注射針６側への戻りを防止することができる戻り防止機構５を備え、
前記戻り防止機構５は、前記プランジャ４の少なくとも１つの係合部４ａと、前記係合部４ａに係合する前記注射器本体２の少なくとも１つの柔軟な突部２ａから構成され、前記戻り防止機構５は前記プランジャ４を静止した状態では前記プランジャ４の移動を防止することができるが、強く押す又は強く引いたときに前記プランジャ４の移動を妨げないものであり、
前記突部２ａは、前記注射器本体２の目盛り２ｂに対応する位置であって、前記注射器本体２の内側に設けられる、注射器。